(57)【特許請求の範囲】
【請求項１】
空気の吸込口と吹出口とを有し、前記吸込口と前記吹出口とを結ぶ空気通路を内部に有する筐体と、
前記吸込口から空気を吸引し、該吸引した空気を上方に伸びる前記空気通路を経て、前記吹出口から吐出させる送風機と、
前記送風機の風上側と前記吸込口との間の前記空気通路内に空気の通過方向を回転軸方向とした回転可能な円盤状の吸水性フィルタが設けられ、水を吸水して湿潤した状態で通過する空気に湿度を与える気化フィルタと、
前記気化フィルタを回転させるフィルタ回転手段と、
前記気化フィルタの下部側に配置され、同気化フィルタに給水するための水を貯える給水トレイと、
前記気化フィルタを前記フィルタ回転手段によって回転させることで、前記気化フィルタの全面に水を湿潤させる給水手段と、
前記送風機の風下側と前記吹出口との間の前記空気通路を通る空気を分岐させ、内部でオゾンを発生させるオゾン発生部を有するオゾン発生ユニットと、
前記オゾン発生ユニットで発生したオゾンを前記送風機の風上側へ導いて、前記気化フィルタの風上面に対して直接オゾンを吹き付ける吹付口を有するオゾンダクトと、
を備え、前記オゾンダクトは、前記オゾン発生ユニットから前記気化フィルタの前記回転軸に向って伸び、前記気化フィルタの半径に相当する部分にオゾンを直接吹き付けるための吹付口が形成され、前記送風機の風下側に設けられた前記オゾン発生ユニットにかかる正圧と、前記送風機の風上側に設けられた前記気化フィルタが前記吸込口から空気を吸引する際に生じる負圧との圧力差を利用して、前記オゾン発生ユニットで発生したオゾンを前記オゾンダクトの前記吹付口から前記気化フィルタの風上面に対して直接吹き付けることを特徴とする加湿装置。
【請求項２】
前記送風機と前記気化フィルタとの間の隙間を覆う送風ガイドを設けて、前記吸込口から吸い込まれた空気が前記気化フィルタを経由して前記送風機に吸引される空気通路を確保することを特徴とする請求項１に記載の加湿装置。
【請求項３】
前記オゾンダクトは、前記気化フィルタとの間隔を一定に保つためにオゾンダクトを保持する保持手段を備えていることを特徴とする請求項１または２に記載の加湿装置。
【請求項４】
前記オゾンダクトの吹付口は、回転する前記気化フィルタの移動面積に応じて前記オゾンを直接均一に吹き付けることのできる形状としたことを特徴とする請求項１から３のいずれか一項に記載の加湿装置。
【発明の詳細な説明】
【技術分野】
【０００１】
本発明は、加湿運転中における気化フィルタに対して直接オゾンを吹き付けて除菌と消臭を行う加湿装置に関する。
【背景技術】
【０００２】
従来の気化式の加湿装置は、給水タンクから供給された水を貯える水槽部と、その水槽部の水を吸水して湿潤する吸水性を有する気化フィルタと、室内空気を循環させる送風機とを備えている。この加湿装置の運転中は、送風機により吸込口から取り込んだ室内空気を前記気化フィルタに通すことで加湿を行い、その加湿された空気を吹出口から室内へ放出していた。このため、加湿運転中に加湿装置内部の気化フィルタに雑菌が繁殖すると、吹出口から悪臭や雑菌が放出されることがあった。
【０００３】
そこで、特許文献１にかかる従来の加湿装置は、送風機の風下側に送風機の空気によって水を気化する気化フィルタを設け、その気化フィルタの風上側に放電ユニットを設けることによって、該放電ユニットを加湿運転と連動して間欠運転を行っている。このため、放電ユニットから発生するオゾンによって気化フィルタの雑菌が除菌され、加湿装置の吹出口から悪臭や雑菌が放出されるのを防止していた。
【先行技術文献】
【特許文献】
【０００４】
【特許文献１】特開２００６−１５３３１６号公報
【発明の概要】
【発明が解決しようとする課題】
【０００５】
しかしながら、このような特許文献１の加湿装置にあっては、気化フィルタが毛細管現象により水槽部の水を吸い上げて湿潤するため、気化フィルタが常に水に浸かった状態となり、気化フィルタに雑菌が繁殖する可能性が高くなる。このため、特許文献１の加湿装置では、気化フィルタ全体に一斉にオゾンを吹き付けるべく、大量のオゾンを発生させると、高濃度のオゾンが室内に吹き出すおそれがあった。そこで、特許文献１の加湿装置においては、放電ユニットを間欠的に運転することによりオゾンの発生量を調節することが考えられるが、これではオゾンにより連続的に除菌を行うことができないという問題があった。
【０００６】
本発明は、上記に鑑みてなされたものであって、加湿運転中の送風量に対応した風量でオゾンを連続的に気化フィルタに直接吹きつけて効率良く除菌と消臭を行うと共に、高濃度のオゾンを室内へ放出することのない安全な加湿装置を提供することを目的とする。
【課題を解決するための手段】
【０００７】
上述した課題を解決し、目的を達成するために、本発明の加湿装置は、空気の吸込口と吹出口とを有し、前記吸込口と前記吹出口とを結ぶ空気通路を内部に有する筐体と、前記吸込口から空気を吸引し、該吸引した空気を上方に伸びる前記空気通路を経て、前記吹出口から吐出させる送風機と、前記送風機の風上側と前記吸込口との間の前記空気通路内に空気の通過方向を回転軸方向とした回転可能な円盤状の吸水性フィルタが設けられ、水を吸水して湿潤した状態で通過する空気に湿度を与える気化フィルタと、前記気化フィルタを回転させるフィルタ回転手段と、前記気化フィルタの下部側に配置され、同気化フィルタに給水するための水を貯える給水トレイと、前記気化フィルタを前記フィルタ回転手段によって回転させることで、前記気化フィルタの全面に水を湿潤させる給水手段と、前記送風機の風下側と前記吹出口との間の前記空気通路を通る空気を分岐させ、内部でオゾンを発生させるオゾン発生部を有するオゾン発生ユニットと、前記オゾン発生ユニットで発生したオゾンを前記送風機の風上側へ導いて、前記気化フィルタの風上面に対して直接オゾンを吹き付ける吹付口を有するオゾンダクトと、を備え、前記オゾンダクトは、前記オゾン発生ユニットから前記気化フィルタの前記回転軸に向って伸び、前記気化フィルタの半径に相当する部分にオゾンを直接吹き付けるための吹付口が形成され、前記送風機の風下側に設けられた前記オゾン発生ユニットにかかる正圧と、前記送風機の風上側に設けられた前記気化フィルタが前記吸込口から空気を吸引する際に生じる負圧との圧力差を利用して、前記オゾン発生ユニットで発生したオゾンを前記オゾンダクトの前記吹付口から前記気化フィルタの風上面に対して直接吹き付けることを特徴としている。
【０００８】
また、本発明の加湿装置において、前記送風機と前記気化フィルタとの間の隙間を覆う送風ガイドを設けて、前記吸込口から吸い込まれた空気が前記気化フィルタを経由して前記送風機に吸引される空気通路を確保することが好ましい。
【０００９】
また、本発明の加湿装置において、前記オゾンダクトは、前記気化フィルタとの間隔を一定に保つためにオゾンダクトを保持する保持手段を備えていることが好ましい。 
【００１０】
また、本発明の加湿装置において、前記オゾンダクトの吹付口は、回転する前記気化フィルタの移動面積に応じて前記オゾンを直接均一に吹き付けることのできる形状としたことが好ましい。
【発明の効果】
【００１１】
本発明によれば、加湿運転中の送風量に対応した風量でオゾンを気化フィルタに直接吹きつけて効率良く除菌と消臭を行うと共に、オゾンを直接室内へ放出することの少ない安全な加湿装置が得られるという効果を奏する。
【図面の簡単な説明】
【００１２】
【図１】図１は、本発明にかかる加湿装置の前方方向の外観斜視図である。
【図２】図２は、本発明にかかる加湿装置の後方方向の外観斜視図である。
【図３】図３は、図１のＸ−Ｘ線断面図である。
【図４】図４は、本発明にかかる加湿装置の制御ブロック構成図である。
【図５】図５は、図２の加湿装置から筐体とプレフィルタと集塵フィルタとヒータ脱臭ユニットとを取り除いた内部構造示す斜視図である。
【図６】図６は、図１の加湿装置から筐体とプレフィルタと集塵フィルタとヒータ脱臭ユニットとを取り除いた内部構造を示す斜視図である。
【図７】図７は、図５の加湿装置を白抜矢印Ａ方向から見た矢指図である。
【図８】図８は、図５の加湿装置から水車型の気化フィルタとオゾンダクトと給水ユニットとを抜き出して拡大した斜視図である。
【図９】図９は、図８の気化フィルタとオゾンダクトと給水ユニットとを白抜矢印Ａ方向から見た矢指図である。
【図１０−１】図１０−１は、図９に示すオゾンダクトの裏面図である。
【図１０−２】図１０−２は、図１０−１に示したオゾンダクトの吹付口の一変形例を示す図である。
【発明を実施するための形態】
【００１３】
以下に、本発明にかかる加湿装置の実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。また、この実施例に記載された複数の変形例は、当業者自明の範囲内にて任意に組み合わせが可能である。 
【実施例１】
【００１４】
まず、加湿装置の外観の構成を説明する。図１は、本発明にかかる加湿装置の前方方向の外観斜視図であり、図２は、本発明にかかる加湿装置の後方方向の外観斜視図である。
【００１５】
加湿装置１００は、気化式の加湿方式を採用する加湿装置であり、図１および図２に示すように、筐体１０が縦長の略直方体形状で構成されており、面積の最も大きい一方の側面を前面パネル３２とし（図１参照）、前面パネル３２と対向する他方の側面を背面パネル３４として（図２参照）、多数の開口部を設けた空気の吸込口２６が形成されている。前面パネル３２と背面パネル３４以外の側面には、加湿装置１００を持ち運ぶための把手を兼ねた凹部が形成されている。また、加湿装置１００の上面部には、ユーザが加湿装置１００を運転操作するための各種ボタンやランプ等が配置された操作パネル４４と、その操作パネル４４に隣接する位置に手動により開閉可能な矩形状のルーバ３０とが配されている。このルーバ３０は、後述の図３に示すように上方に開閉可能であって、ルーバ３０を開くことによって加湿された空気の吹出口２８となる。
【００１６】
次に、加湿装置の具体的な内部構成について図を用いて説明する。図３は、図１のＸ−Ｘ線断面図であり、図４は、本発明にかかる加湿装置の制御ブロック構成図である。また、図５は、図２の加湿装置から筐体とプレフィルタと集塵フィルタとヒータ脱臭ユニットとを取り除いた内部構造示す斜視図であり、図６は、図１の加湿装置から筐体とプレフィルタと集塵フィルタとヒータ脱臭ユニットとを取り除いた内部構造示す斜視図であり、図７は、図５の加湿装置を白抜矢印Ａ方向から見た矢指図であり、図８は、図５の加湿装置から水車型の気化フィルタとオゾンダクトと給水ユニット２４（２４ａ〜２４ｄ）を抜き出して拡大した斜視図であり、図９は、図８の気化フィルタとオゾンダクトと給水ユニットを白抜矢印Ａ方向から見た矢指図である。また、図１０−１は、図９に示すオゾンダクトの裏面図であり、図１０−２は、図１０−１に示したオゾンダクトの吹付口の一変形例を示す図である。
【００１７】
［加湿装置］
加湿装置１００は、図３に示すように筐体１０が縦長の略直方体形状で構成されているため、高さ方向の空間を使って空気の流れを作ることで、設置スペースを少なくすることができる。図３に示すように、実施例１の加湿装置１００における特徴的な構成は、筐体１０の内部に吸込口２６と吹出口２８とを結ぶ空気通路が形成されている。この空気通路の途中に設けられている送風機１２は、ファンモータ１２ａがファン１２ｂを回すことで吸込口２６から空気を吸引する（白抜き矢印Ａ）。吸引された空気は、プレフィルタ５０、集塵フィルタ５２、およびヒータ脱臭ユニット５４を通過する間に、除塵・脱臭処理が行われる。また、送風機１２の風上側に配置されている気化フィルタ１４は、ここでは、ポリエステルとレーヨンが５０：５０の割合で配合され、プリーツ構造に形成したもので、通気性と吸水性を兼ね備えているが、必ずしもこの材質や配合割合に限定されない。この気化フィルタ１４は、水を吸水して湿潤した状態で空気が通過する間に、水が気化して空気を加湿する。送風機１２は、気化フィルタ１４で加湿された空気を上方へ伸びる空気通路へ送り出し（白抜き矢印Ｂ）、上面のルーバ３０を開けた吹出口２８から外部に吐出される（白抜き矢印Ｅ）。加湿運転中の加湿装置１００では、内部の気化フィルタ１４に万一雑菌が繁殖してしまうと、吹出口２８から悪臭や雑菌が放出されるおそれがある。このため、本発明では、気化フィルタ１４に対し、以下で述べるように、オゾンを吹き付けて除菌と消臭を行う。
【００１８】
実施例１では、送風機１２の風下側から上方へ伸びるメインの空気通路（白抜き矢印Ｂ）から空気の流れを分岐させて（白抜き矢印Ｃ）、オゾン発生ユニット１６に取り込まれた空気を使ってオゾン発生部１６ａによりオゾンを発生させる。このオゾン発生ユニット１６は、図３に示すように、送風機１２および気化フィルタ１４の直上に配置されている。オゾン発生ユニット１６内でオゾンを発生させるオゾン発生部１６ａとしては、ここでは、水銀ランプなどのＵＶ（紫外線）ランプを好適に用いている。オゾン発生ユニット１６内で発生させたオゾンは、空気の約１．６倍の比重を持っているため、オゾン発生ユニット１６の下方へオゾンを導くオゾンダクト１８を設けると、オゾンダクト１８を介してオゾンが供給される。しかしながら、オゾンと空気の比重差だけでは、気化フィルタ１４の風上面に対して直接オゾンを均等に吹き付ける程の勢いは得られない。そこで、実施例１では、オゾン発生ユニット１６から下方にオゾンダクト１８を伸ばし、気化フィルタ１４の風上面に対して直接オゾンを吹き付ける位置に吹付口１８ａを配置している。このため、気化フィルタ１４の風上面に対してオゾンの吹き付けを行う場合は、送風機１２の風下側に設けられたオゾン発生ユニット１６に正圧がかかり、送風機１２の風上側に設けられた気化フィルタ１４が吸込口２６から空気を吸引する際に負圧が生じることで、正圧と負圧の圧力差を利用している。このように、オゾン発生ユニット１６で発生したオゾンは、送風機１２の送風量に応じた風量でオゾンダクト１８の吹付口１８ａから気化フィルタ１４の風上面に吹き付けることができる。つまり、実施例１では、オゾン発生ユニット１６内で発生したオゾンを使って、雑菌が繁殖するおそれがある気化フィルタ１４に対しオゾンを直接吹き付けることにより、確実な除菌効果と消臭効果を期待することができる。
【００１９】
［送風ガイド］
加湿装置１００により加湿運転が開始されると、図３の送風機１２が吸込口２６から空気を吸引して気化フィルタ１４付近が負圧となり、正圧を受けているオゾン発生ユニット１６内のオゾンは、その圧力差によりオゾンダクト１８を通って吹付口１８ａから気化フィルタ１４に向けて吹き付けられる。吹き付けられたオゾンと空気は、気化フィルタ１４の中を通過する際に除菌や消臭が行われると共に、加湿された空気が送風機１２から吹出口２８を介して吐出される（白抜き矢印Ｂ、Ｅ）。ところが、送風機１２とその風上側に配置されている気化フィルタ１４との間に隙間があると、送風機１２が吸込口２６から吸引した空気と、オゾンダクト１８の吹付口１８ａから吹き付けられたオゾンの一部が気化フィルタ１４を通過せずに、通風抵抗の少ない送風機１２と気化フィルタ１４との間を通過してしまい、気化フィルタの除菌脱臭が十分に行われない可能性がある。また、空気の加湿効率が低下する可能性もある。このため、実施例１の加湿装置１００では、図３に示すように、送風機１２と気化フィルタ１４との間の隙間を覆う送風ガイド２０を設けている。この送風ガイド２０は、内部壁面の一部を帯状に突起させたり、内部壁面に帯状のガイド板を取り付けることで実現している。送風ガイド２０の配置例としては、図５の白抜矢印Ａ方向から見た矢指図である図７に示している。図７の送風ガイド２０は、給水トレイ２４ａ以外の部分をカバーしており、送風機１２と気化フィルタ１４の間の隙間を塞ぐよう外周部に沿って配置されている。送風ガイド２０は、送風機１２と気化フィルタ１４との間の隙間を塞ぐため、内部で発生させたオゾンが気化フィルタ１４を通ることから除菌脱臭が確実に行われると共に、吸込口２６から吸い込まれた空気の略全量が気化フィルタ１４を通過することから、加湿効率を高めることができる。
【００２０】
［オゾン分解触媒］
オゾン発生部１６ａで発生したオゾンは、一部はオゾンダクト１８を介して気化フィルタ１４へ供給されるが、残りのオゾンは０．０２ｐｐｍ以下の濃度オゾンとして低濃度オゾン吹出口３６から室内に向けて吹き出す。このため、オゾン発生ユニット１６内のオゾン濃度を適正に調整する必要がある。実施例１では、図３に示すように、オゾン発生ユニット１６内のオゾン発生部１６ａよりも風下側に設けたオゾンダクト１８の直上にオゾン分解触媒５８が配置されている。このオゾン分解触媒５８は、酸化チタンなどの金属触媒作用によりオゾン分解触媒５８を通過するオゾンを分解して、低濃度オゾンとした上で、低濃度オゾン吹出口３６から外へ放出される（白抜き矢印Ｆ）。このオゾン分解触媒５８の作用により、人体に影響の無い低濃度のオゾンを利用した室内の除菌脱臭が可能である。
【００２１】
［イオナイザ］
また、加湿装置１００の吹出口２８付近の空気通路内には、図３に示すように、イオン発生器としてのイオナイザ４６がオゾン発生ユニット１６とは別に配置されている。イオナイザ４６は、針状の電極を備えていて、電極に例えば数ｋＶの高電圧を印加すると、電極の先端でコロナ放電が生じ、マイナスイオンとオゾンを発生させる。イオナイザ４６から発生したマイナスイオンは、同じくイオナイザ４６やオゾン発生ユニット１６から発生したオゾンと反応して、強い酸化力を有するＯＨラジカルを生成する。
【００２２】
［メイン基板］
加湿装置１００の背面パネル３４の上部には、図３に示すように、加湿装置１００を制御するメイン基板４０が配置されている。このメイン基板４０には、加湿装置１００の動作を制御する制御部４２（図４参照）を備えている。制御部４２は、図４に示すように、操作パネル４４からの指示に基づいて、運転制御を行う。例えば、加湿運転中の制御部４２は、送風機１２のファンモータ１２ａや後述する回転型の気化フィルタを回転させるフィルタ回転モータ２２ａを制御すると共に、オゾン発生ユニット１６内でオゾン発生させるＵＶランプ１６ａの点灯制御を行ったり、上記イオナイザ４６のＯＮ／ＯＦＦ制御を行ったりする。ファンモータ１２ａは、運転モードに応じた風量設定により、制御部４２が強、中、弱の回転数に切り替えるよう制御する。
【００２３】
［気化フィルタ］
気化フィルタ１４は、吸水性があって、湿潤した状態で通気性が確保できるものであれば固定式、回転式を問わない。実施例１の気化フィルタ１４は、図５に示すように、空気の通過方向（白抜矢印Ａ）を回転軸方向とした回転可能な円盤状の吸水性フィルタである。この気化フィルタ１４は、給水トレイ２４ａと一体化されていて、加湿装置１００本体に対して自由に着脱できるようになっている。給水トレイ２４ａと連通する給水タンク保持部２４ｂは、不図示の給水タンクを保持して給水トレイ２４ａに水を給水するものであり、給水トレイ２４ａの水が一定水位以下になると、給水タンクから水が供給される。仕切り板２４ｃは、加湿装置１００の筐体１０の内と外とを仕切るものである。図８は、図５の気化フィルタ１４の部分を抜き出した図であり、気化フィルタ１４は、水を溜めておく給水トレイ２４ａの短手方向の両端部に軸受支持部２４ｄが立設され、その軸受部分で円盤状の気化フィルタ１４の回転軸１４ｃを回転自在に軸支している。この気化フィルタ１４は、給水手段としてフィルタの外周部に水車と同じ水汲みポケット１４ａが一定間隔毎に同じ方向に配置され、矢印方向Ｇに回転させることで、給水トレイ２４ａ内の水を水汲みポケット１４ａが汲みあげ、頂点付近で中の水を気化フィルタ１４に掛けるため、加湿運転中は常に湿潤状態を保つことができる。また、気化フィルタ１４の外周部の水汲みポケット１４ａと反対の側には、気化フィルタ１４を回転させるための従動歯車１４ｂが形成されている。この従動歯車１４ｂは、図３および図７に示すように、フィルタ回転モータ２２ａにより回転される駆動歯車２２と噛み合い、一定の方向に一定速度で回転させることができる。フィルタ回転モータ２２ａは、例えばシンクロナスモータなどを使うことができ、図４に示す制御部４２によって回転制御が行われる。この気化フィルタ１４のフィルタ回転手段は、上記した回転軸１４ｃ、従動歯車１４ｂ、フィルタ回転モータ２２ａ、駆動歯車２２、および制御部４２により構成されている。また、気化フィルタ１４をフィルタ回転手段によって回転させ、気化フィルタ１４の全面に水を湿潤させる吸水手段としては、上記した給水トレイ２４ａ、および水汲みポケット１４ａにより構成されている。
【００２４】
［オゾンダクト］
実施例１における加湿装置１００は、図３に示すように、気化フィルタ１４の風上面側にオゾンを直接均等に吹き付けるオゾンダクト１８を備えている。気化フィルタ１４に対するオゾンダクト１８の配置は、図３、図８、および図９に示すように、オゾン発生ユニット１６から下方の気化フィルタ１４の回転軸１４ｃに向ってオゾンダクト１８が伸びており、前記気化フィルタ１４の半径に相当する部分にオゾンを直接吹き付けるための吹付口１８ａが近接配置されている。オゾンダクト１８の吹付口１８ａの形状は、図３、および図１０−１に示すように、略直方体形状からなるオゾンダクト１８の片面を切り取った長方形をしている。このような形状の吹付口１８ａのオゾンダクト１８を用いて、加湿運転中におけるオゾンの吹付量を計測すると、図１０−１に示すように、吹付口１８ａの根元部分のオゾン吹付量を１００とすると、先端部分では５０となる。このように、吹付口１８ａの形状が長方形であっても根元部分と先端部分でオゾンの吹付量が半減程度に留まっている。これは、送風機１２の風下側のオゾン発生ユニット１６内のオゾンに正圧がかかり、オゾン発生ユニット１６から伸びるオゾンダクト１８の吹付口１８ａは、送風機１２の風上側（気化フィルタ１４と吸込口２６の間）に配置して、負圧がかかるようにしているため、正圧と負圧の圧力差により、吸込口２６から気化フィルタ１４に吸い込まれる空気の流れに伴い、オゾンダクト１８の吹付口１８ａからオゾンを吸引しながら吹き付けが行われている。このように、送風機１２の風下側で発生させた正圧のオゾンは、オゾンダクト１８を使って送風機１２の風上側に戻すことで吹付口１８ａ付近では負圧となるため、オゾンダクト１８の両端で生じた圧力差により、加湿運転中の送風量に対応した風量でオゾンを気化フィルタ１４に直接吹きつけて、効率良く除菌と消臭を行う加湿装置はこれまでに無かった。
【００２５】
以下、図を用いて実施例１にかかる加湿装置の動作について説明する。まず、ユーザは、図４に示す操作パネル４４を使って加湿装置１００の加湿運転モードを選択し、運転開始ボタンを押下する。制御部４２は、操作パネル４４からの運転指令に基づいて、加湿運転モードに応じたファンモータ１２ａとフィルタ回転モータ２２ａの回転制御を行うと共に、オゾンを発生させるＵＶランプ１６ａを点灯制御する。
【００２６】
図３に示すファンモータ１２ａが回転すると、ファン１２ｂが回転して、吸込口２６から空気を吸込み（白抜矢印Ａ）、プレフィルタ５０、集塵フィルタ５２、およびヒータ脱臭ユニット５４を通って空気の除塵・脱臭が行われる。そして、気化フィルタ１４は、フィルタ回転モータ２２ａの回転により、駆動歯車２２が回転すると、気化フィルタ１４の外周部に形成された従動歯車１４ｂが回転して、気化フィルタ１４が図８、図９に示す矢印Ｇ方向に一定速度で回転し始める。給水トレイ２４ａの水位は、気化フィルタ１４を直接浸潤させる高さにない。しかし、気化フィルタ１４は、外周部に水汲みポケット１４ａを備えているため、給水トレイ２４ａの水を順次汲み上げて、フィルタの上から掛けることで、常に湿潤した状態を維持することができる。この湿潤した気化フィルタ１４の中を空気が通過すると、フィルタに含まれる水が気化して加湿される。加湿された空気は、図３、図６に示す送風機１２により上方の空気通路へ送られ（白抜矢印Ｂ）、開かれたルーバ３０の吹出口２８から加湿された空気が室内へ放出される（白抜矢印Ｅ）。
【００２７】
また、送風機１２から上方の空気通路へ送られる空気（白抜矢印Ｂ）の一部を分岐させ、オゾン発生ユニット１６に取り込んだ空気（白抜矢印Ｃ）は、ＵＶランプ１６ａの点灯制御によってオゾンを発生する。オゾン発生ユニット１６で発生したオゾンは、送風機１２の風下側に位置するため、正圧を受けている。一方、オゾン発生ユニット１６から下方に伸びるオゾンダクト１８の吹付口１８ａは、送風機１２の風上側の気化フィルタ１４と吸込口２６の間の負圧部分に戻している。このため、オゾンダクト１８内には、正圧と負圧の圧力差が生じ、吸込口２６から気化フィルタ１４に吸い込まれる風速に応じてオゾンを気化フィルタ１４に直接吹き付けることが可能となる。
【００２８】
気化フィルタ１４に対するオゾンの吹き付けは、図１０−１に示すように、オゾンダクト１８の吹付口１８ａのオゾン吹付量は、根元部と先端部とで１００：５０の割合になっている。図９は、気化フィルタ１４を矢印Ｇ方向に一定速度で回転した場合の吹付口１８ａの根元部と先端部に相当する気化フィルタ１４の移動面積の違いを白抜矢印Ｈと白抜矢印Ｉとで表したものである。図９に示すように、白抜矢印Ｈと白抜矢印Ｉの移動面積の違いは、白抜矢印Ｉが白抜矢印Ｈの半分程度になっていることがわかる。このため、オゾンダクト１８の吹付口１８ａのオゾン吹付量の割合と、気化フィルタ１４の移動面積の違いが略一致することから、回転式の気化フィルタに対してオゾンを均一に吹き付けることが可能となる。これにより、実施例１における加湿装置は、加湿運転中は、常に気化フィルタ１４に対してオゾンを直接かつ均一に吹き付けを行い、効率的に除菌と消臭を行うため、気化フィルタに雑菌が繁殖して、吹出口２８から悪臭や雑菌の放出を防止することができる。
【００２９】
なお、上記実施例１では、図１０−１に示すオゾンダクト１８を用いて実施したが、オゾンダクト１８の吹付口１８ａの形状のバリエーションとしては、種々のものを用いることができる。例えば、図１０−２に示すようなオゾンダクト１８０の吹付口１８１ａ、１８３ａ、１８５ａ、１８７ａ、１８９ａは、開口面積の異なる複数の矩形状の吹付口をオゾンダクト１８０の長手方向に沿って配置したもので、図１０−１に示すオゾンダクト１８の吹付口１８ａと異なり、それぞれの開口面積を変えることで、オゾン吹付量を自由に調整することができる。例えば、図１０−２では、オゾンダクト１８０の根元部の開口面積を大きくとり、先端部に行くに従って開口面積を順次小さくしているが、これを逆の順序で配列することも可能である。つまり、吹き付け対象である気化フィルタが回転式か固定式か、あるいは、気化フィルタの形状や特性によって、オゾンの吹付量を変えたい場合に、各状況に応じてオゾンダクトの吹付口の形状、個数、開口面積を適宜変えることで、最適なオゾン吹付が可能となる。
【００３０】
また、上記実施例１では、図３に示すように、オゾンダクト１８が狭い隙間を縫って気化フィルタにできるだけ近接した状態で配置され、かつ、気化フィルタが回転式であっても、回転を妨げる位置にオゾンダクト１８がずれないように、オゾンダクト１８の位置を保持する保持手段を備える必要がある。例えば、図３では、オゾンダクト１８の先端部付近の撓りを矯正するため、内部フレームやパネルにオゾンダクト１８の位置を保持するためのガイド部材５６を取り付け、オゾンダクト１８の先端部を保持させている。図３では、ガイド部材５６自体に厚みがあるため、その厚み分だけオゾンダクト１８の一部を削ることで、隣接する他の部材と干渉しないようにしている。また、これ以外にも、オゾンダクト１８の吹付口１８ａと反対側の面と、隣接する内部フレームやパネルに、位置を保持するための雄型レールと雌型レールを取付け、両者を組み合わせることでオゾンダクト１８の位置を保持させるようにしても良い。
【産業上の利用可能性】
【００３１】
以上のように、本発明にかかる加湿装置は、湿潤させた気化フィルタを用いて加湿運転を行う加湿装置に有用であり、特に、加湿運転中の気化フィルタの除菌と消臭を効率的に行うことができる安全の高い加湿装置に適している。
【符号の説明】
【００３２】
１００  加湿装置
１０  筐体
１２  送風機
１２ａ  ファンモータ
１２ｂ  ファン
１４  気化フィルタ
１４ａ  水汲みポケット
１４ｂ  従動歯車
１４ｃ  回転軸
１６  オゾン発生ユニット
１６ａ  ＵＶランプ
１８、１８０  オゾンダクト
１８ａ、１８１ａ、１８３ａ、１８５ａ、１８７ａ、１８９ａ  オゾン吹付口  
１８ｂ、１８０ｂ  オゾン導入口
２０  送風ガイド
２２  駆動歯車
２２ａ  フィルタ回転モータ
２４ａ  給水トレイ
２４ｂ  給水タンク保持部
２４ｃ  仕切り板
２４ｄ  軸受支持部
２６  吸込口
２８  吹出口
３０  ルーバ
３２  前面パネル
３４  背面パネル
３６  低濃度オゾン吹出口
４０  メイン基板
４２  制御部
４４  操作パネル
５８  オゾン分解触媒
【図１】
0005488308.tif 000002
【図２】
0005488308.tif 000003
【図３】
0005488308.tif 000004
【図４】
0005488308.tif 000005
【図５】
0005488308.tif 000006
【図６】
0005488308.tif 000007
【図７】
0005488308.tif 000008
【図８】
0005488308.tif 000009
【図９】
0005488308.tif 000010
【図１０−１】
0005488308.tif 000011
【図１０−２】
0005488308.tif 000012